(57)【要約】【課題】電源がなくても生ゴミを処理することが可能な生ゴミ処理材及びその製造方法、並びに生ゴミの処理方法を提供する。【解決手段】生ゴミ処理材１は、生ゴミに含まれる水分を吸収する生ゴミ処理材であって、粒状体１０からなる。粒状体１０は、吸水材料を含有している。吸水材料は、プラスチック、フラッフパルプ及び吸水性ポリマーを含む衛生用品からプラスチックを分離して得られたフラッフパルプ及び吸水性ポリマーの少なくとも一方からなる。【選択図】図１
2019126752.tif 000002
【特許請求の範囲】
【請求項１】
生ゴミに含まれる水分を吸収する生ゴミ処理材であって、
プラスチック、フラッフパルプ及び吸水性ポリマーを含む衛生用品から前記プラスチックを分離して得られた前記フラッフパルプ及び前記吸水性ポリマーの少なくとも一方からなる吸水材料を含有する粉状体又は粒状体からなることを特徴とする生ゴミ処理材。
【請求項２】
請求項１に記載の生ゴミ処理材において、
当該生ゴミ処理材は、前記粉状体からなる生ゴミ処理材。
【請求項３】
請求項１に記載の生ゴミ処理材において、
当該生ゴミ処理材は、複数の前記粒状体からなる生ゴミ処理材。
【請求項４】
請求項３に記載の生ゴミ処理材において、
前記各粒状体は、前記吸水材料を含有する被造粒材料が造粒されてなる造粒物を有する生ゴミ処理材。
【請求項５】
請求項４に記載の生ゴミ処理材において、
前記各粒状体は、前記造粒物を覆うように設けられ、前記水分を吸収した前記複数の粒状体どうしを接着させる機能をもつ被覆部を有する生ゴミ処理材。
【請求項６】
請求項５に記載の生ゴミ処理材において、
前記複数の粒状体は、前記被覆部の厚みが比較的大きい第１の粒状体と、前記被覆部の厚みが比較的小さい第２の粒状体とを含む生ゴミ処理材。
【請求項７】
請求項６に記載の生ゴミ処理材において、
前記第１の粒状体の前記被覆部と前記第２の粒状体の前記被覆部とは、同一組成の材料からなる生ゴミ処理材。
【請求項８】
請求項１乃至７の何れかに記載の生ゴミ処理材において、
当該生ゴミ処理材は、前記吸水材料を主材料とする生ゴミ処理材。
【請求項９】
請求項１乃至８の何れかに記載の生ゴミ処理材において、
当該生ゴミ処理材は、有機物のみを材料とする生ゴミ処理材。
【請求項１０】
請求項１乃至９の何れかに記載の生ゴミ処理材において、
当該生ゴミ処理材は、消臭材又は脱臭材を含有する生ゴミ処理材。
【請求項１１】
請求項１乃至１０の何れかに記載の生ゴミ処理材において、
当該生ゴミ処理材は、芳香材を含有する生ゴミ処理材。
【請求項１２】
請求項１乃至１１の何れかに記載の生ゴミ処理材において、
前記衛生用品は、紙おむつである生ゴミ処理材。
【請求項１３】
生ゴミに含まれる水分を吸収する生ゴミ処理材を製造する方法であって、
プラスチック、フラッフパルプ及び吸水性ポリマーを含む衛生用品から前記プラスチックを分離して得られた前記フラッフパルプ及び前記吸水性ポリマーの少なくとも一方からなる吸水材料を準備する準備工程と、
前記準備工程において準備された前記吸水材料を含有する粉状体又は粒状体からなる前記生ゴミ処理材を形成する形成工程と、
を含むことを特徴とする生ゴミ処理材の製造方法。
【請求項１４】
請求項１３に記載の生ゴミ処理材の製造方法において、
前記形成工程においては、前記粉状体からなる前記生ゴミ処理材を形成する生ゴミ処理材の製造方法。
【請求項１５】
請求項１３に記載の生ゴミ処理材の製造方法において、
前記形成工程においては、複数の前記粒状体からなる前記生ゴミ処理材を形成する生ゴミ処理材の製造方法。
【請求項１６】
請求項１５に記載の生ゴミ処理材の製造方法において、
前記形成工程は、前記吸水材料を含有する被造粒材料を造粒することにより、前記各粒状体を構成する造粒物を形成する造粒工程を含む生ゴミ処理材の製造方法。
【請求項１７】
請求項１６に記載の生ゴミ処理材の製造方法において、
前記形成工程は、前記造粒物を覆うように、前記水分を吸収した前記複数の粒状体どうしを接着させる機能を有する被覆部を形成する被覆工程を含む生ゴミ処理材の製造方法。
【請求項１８】
請求項１７に記載の生ゴミ処理材の製造方法において、
前記被覆工程は、
前記造粒工程において形成される複数の前記造粒物のうちの一部の前記造粒物を対象として、比較的大きい厚みの前記被覆部を形成する第１の被覆工程と、
前記複数の造粒物のうちの残りの前記造粒物を対象として、比較的小さい厚みの前記被覆部を形成する第２の被覆工程と、を含む生ゴミ処理材の製造方法。
【請求項１９】
請求項１８に記載の生ゴミ処理材の製造方法において、
前記第１の被覆工程において形成される前記被覆部と前記第２の被覆工程において形成される前記被覆部とは、同一組成の材料からなる生ゴミ処理材の製造方法。
【請求項２０】
請求項１３乃至１９の何れかに記載の生ゴミ処理材の製造方法において、
前記形成工程においては、前記吸水材料を主材料とする前記生ゴミ処理材を形成する生ゴミ処理材の製造方法。
【請求項２１】
請求項１３乃至２０の何れかに記載の生ゴミ処理材の製造方法において、
前記形成工程においては、有機物のみを材料とする前記生ゴミ処理材を形成する生ゴミ処理材の製造方法。
【請求項２２】
請求項１３乃至２１の何れかに記載の生ゴミ処理材の製造方法において、
前記形成工程においては、消臭材又は脱臭材を含有する前記生ゴミ処理材を形成する生ゴミ処理材の製造方法。
【請求項２３】
請求項１３乃至２２の何れかに記載の生ゴミ処理材の製造方法において、
前記形成工程においては、芳香材を含有する前記生ゴミ処理材を形成する生ゴミ処理材の製造方法。
【請求項２４】
請求項１３乃至２３の何れかに記載の生ゴミ処理材の製造方法において、
前記衛生用品は、紙おむつである生ゴミ処理材の製造方法。
【請求項２５】
生ゴミを処理する方法であって、
請求項１乃至１２の何れかに記載の生ゴミ処理材を前記生ゴミに接触させることにより、当該生ゴミに含まれる水分を前記生ゴミ処理材に吸収させることを特徴とする生ゴミの処理方法。
【発明の詳細な説明】
【技術分野】
【０００１】
本発明は、生ゴミ処理材及びその製造方法、並びに生ゴミの処理方法に関する。
【背景技術】
【０００２】
特許文献１には、生ゴミを処理する生ゴミ処理機が記載されている。同文献に記載された生ゴミ処理機は、生ゴミを収納する収納容器と、収納容器の上部に設けられた加熱手段とを備えている。加熱手段は、乾燥用ヒーター等から構成され、生ゴミを加熱する。この生ゴミ処理機は、収納容器に収納された生ゴミを加熱手段で加熱して乾燥させることにより、当該生ゴミを処理するものである。
【先行技術文献】
【特許文献】
【０００３】
【特許文献１】特開２００９−２２６２３３号公報
【発明の概要】
【発明が解決しようとする課題】
【０００４】
上述の生ゴミ処理機によれば、悪臭の原因となる、生ゴミ中の水分を除去し、それにより生ゴミから悪臭が発生するのを抑制することができる。しかしながら、この生ゴミ処理機においては、乾燥用ヒーターが用いられるため、電源がなければ生ゴミを処理することができないという問題がある。
【０００５】
本発明は、上記課題に鑑みてなされたものであり、電源がなくても生ゴミを処理することが可能な生ゴミ処理材及びその製造方法、並びに生ゴミの処理方法を提供することを目的とする。
【課題を解決するための手段】
【０００６】
本発明による生ゴミ処理材は、生ゴミに含まれる水分を吸収する生ゴミ処理材であって、プラスチック、フラッフパルプ及び吸水性ポリマーを含む衛生用品から上記プラスチックを分離して得られた上記フラッフパルプ及び上記吸水性ポリマーの少なくとも一方からなる吸水材料を含有する粉状体又は粒状体からなることを特徴とする。
【０００７】
この生ゴミ処理材は、衛生用品からプラスチックを分離して得られたフラッフパルプ及び吸水性ポリマーの少なくとも一方からなる吸水材料を含有する粉状体又は粒状体からなり、生ゴミに含まれる水分を吸収する。このため、電源を必要とせずに、生ゴミ中の水分を除去し、当該生ゴミを処理することができる。
【０００８】
本発明による生ゴミ処理材の製造方法は、生ゴミに含まれる水分を吸収する生ゴミ処理材を製造する方法であって、プラスチック、フラッフパルプ及び吸水性ポリマーを含む衛生用品から上記プラスチックを分離して得られた上記フラッフパルプ及び上記吸水性ポリマーの少なくとも一方からなる吸水材料を準備する準備工程と、上記準備工程において準備された上記吸水材料を含有する粉状体又は粒状体からなる上記生ゴミ処理材を形成する形成工程と、を含むことを特徴とする。
【０００９】
この製造方法においては、衛生用品からプラスチックを分離して得られたフラッフパルプ及び吸水性ポリマーの少なくとも一方からなる吸水材料を含有する粉状体又は粒状体からなり、生ゴミに含まれる水分を吸収する生ゴミ処理材が形成される。このため、製造後の生ゴミ処理材によれば、電源を必要とせずに、生ゴミ中の水分を除去し、当該生ゴミを処理することができる。
【００１０】
また、本発明による生ゴミの処理方法は、生ゴミを処理する方法であって、上記生ゴミ処理材を上記生ゴミに接触させることにより、当該生ゴミに含まれる水分を上記生ゴミ処理材に吸収させることを特徴とする。
【００１１】
この処理方法においては、上述の生ゴミ処理材によって、生ゴミに含まれる水分が吸収される。このため、電源を必要とせずに、生ゴミ中の水分を除去し、当該生ゴミを処理することができる。
【発明の効果】
【００１２】
本発明によれば、電源がなくても生ゴミを処理することが可能な生ゴミ処理材及びその製造方法、並びに生ゴミの処理方法が実現される。
【図面の簡単な説明】
【００１３】
【図１】本発明による生ゴミ処理材の一実施形態を示す模式図である。
【図２】粒状体１０を示す断面図である。
【図３】生ゴミ処理材１の使用時の様子を示す模式図である。
【図４】生ゴミ処理材１の効果を説明するための図である。
【図５】粒状体１０の変形例を説明するための図である。
【発明を実施するための形態】
【００１４】
以下、図面を参照しつつ、本発明の実施形態について詳細に説明する。なお、図面の説明においては、同一要素には同一符号を付し、重複する説明を省略する。
【００１５】
図１は、本発明による生ゴミ処理材の一実施形態を示す模式図である。生ゴミ処理材１は、生ゴミに含まれる水分を吸収する生ゴミ処理材であって、複数の粒状体１０からなる。各粒状体１０の粒径は、例えば、３〜１５ｍｍ程度である。
【００１６】
各粒状体１０は、吸水材料を含有し、吸水性を有している。吸水材料は、衛生用品に由来するフラッフパルプ及び吸水性ポリマーの少なくとも一方からなる。すなわち、粒状体１０は、当該フラッフパルプ及び吸水性ポリマーの何れか一方のみを含有していてもよいし、双方を含有していてもよい。
【００１７】
フラッフパルプ及び吸水性ポリマーは、具体的には、プラスチック、フラッフパルプ及び吸水性ポリマー（高吸水性ポリマーを含む。以下同様。）を含む衛生用品からプラスチックを分離することにより得られたものである。かかる分離には、公知の分離装置（分級装置）を用いることができる。衛生用品は、例えば、紙おむつ、生理用ナプキン又は尿取パッドである。衛生用品としては、廃棄物としての衛生用品を用いることが好ましい。
【００１８】
なお、衛生用品からプラスチックを完全に分離することは困難であるため、分離後のフラッフパルプには、プラスチック片が付着することがある。かかるプラスチック片の当該フラッフパルプに対する重量割合は、５％以下であることが好ましい。
【００１９】
図２は、粒状体１０を示す断面図である。各粒状体１０は、造粒物１２（芯部）、及び被覆部１４を有している。造粒物１２は、吸水材料を含有する被造粒材料（造粒物１２を構成する材料）が造粒されてなる。造粒物１２は、粒状に成形されている。かかる粒状の形状としては、例えば、球、円柱、楕円体等が挙げられる。造粒物１２は、生ゴミに含まれる水分を吸水及び保水する機能をもつ。造粒物１２（被造粒材料）は、吸水材料のみを含有していてもよいし、吸水材料に加えて他の材料を含有していてもよい。造粒物１２は、他の材料として、例えば、バインダーを含有していてもよい。バインダーとしては、例えば、ＣＭＣ（カルボキシメチルセルロース）、ＰＶＡ（ポリビニルアルコール）又はデキストリンを用いることができる。
【００２０】
被覆部１４は、造粒物１２を覆うように設けられている。被覆部１４は、造粒物１２の表面の全体を覆っていてもよいし、一部のみを覆っていてもよい。被覆部１４は、生ゴミに含まれる水分を吸収した複数の粒状体１０どうしを接着させる機能をもつ。被覆部１４は、吸水時に粘性を帯びる接着材料を含有している。接着材料としては、例えば、吸水性ポリマーを用いることができる。かかる吸水性ポリマーは、衛生用品に由来する吸水性ポリマー（吸水材料を構成する吸水性ポリマー）であってもよいし、衛生用品に由来しない吸水性ポリマーであってもよい。被覆部１４は、吸水材料を含有していてもよいし、含有していなくてもよい。
【００２１】
生ゴミ処理材１（粒状体１０）は、吸水材料を主材料とすることが好ましい。ここで、生ゴミ処理材１の主材料とは、生ゴミ処理材１を構成する材料のうち、当該生ゴミ処理材１に占める重量割合が最大のものをいう。また、生ゴミ処理材１は、有機物のみを材料とすることが好ましい。すなわち、生ゴミ処理材１が吸水材料に加えて他の材料を含有する場合、他の材料も全て有機物であることが好ましい。
【００２２】
生ゴミ処理材１は、消臭材又は脱臭材を含有していてもよい。また、生ゴミ処理材１は、芳香材を含有していてもよい。これらの消臭材、脱臭材及び芳香材は、造粒物１２及び被覆部１４の何れか一方にのみ含有されてもよいし、双方に含有されてもよい。
【００２３】
続いて、本発明による生ゴミ処理材の製造方法の一実施形態として、生ゴミ処理材１の製造方法の一例を説明する。この製造方法は、生ゴミ処理材１を製造する方法であって、準備工程、及び形成工程を含んでいる。
【００２４】
準備工程は、吸水材料を準備する工程である。すなわち、準備工程においては、プラスチック、フラッフパルプ及び吸水性ポリマーを含む衛生用品からプラスチックを分離して得られたフラッフパルプ及び吸水性ポリマーの少なくとも一方からなる吸水材料を準備する。この工程においては、分離装置を用いて衛生用品からプラスチックを分離することにより吸水材料を生成してもよいし、予め生成された吸水材料を調達してもよい。
【００２５】
形成工程は、準備工程において準備された吸水材料を含有する複数の粒状体１０からなる生ゴミ処理材１を形成する工程である。形成工程は、造粒工程、及び被覆工程を含んでいる。造粒工程は、吸水材料を含有する被造粒材料を造粒することにより、各粒状体１０を構成する造粒物１２を形成する工程である。被造粒材料の造粒には、例えば押出造粒機を用いることができる。この工程においては、複数の造粒物１２が形成される。造粒に先立って、被造粒材料には、粉砕、混練、加水等の前処理が必要に応じて行われる。
【００２６】
被覆工程は、造粒物１２を覆うように、被覆部１４を形成する工程である。被覆部１４を形成するには、各造粒物１２の表面に粉状の被覆材料（被覆部１４を構成する材料）を付着させればよい。被覆材料の付着には、例えばコーティング装置を用いることができる。その後、篩分け（分粒）、乾燥等の後処理が必要に応じて行われる。以上により、複数の粒状体１０からなる生ゴミ処理材１が得られる。
【００２７】
図３を参照しつつ、本発明による生ゴミの処理方法の一実施形態として、生ゴミ処理材１の使用方法の一例を説明する。この処理方法は、生ゴミを処理する方法であって、生ゴミ処理材１を生ゴミに接触させることにより、生ゴミに含まれる水分を生ゴミ処理材１に吸収させるものである。同図においては、ゴミ箱９０に捨てられた生ゴミ９２上に生ゴミ処理材１（複数の粒状体１０）を敷くことにより、生ゴミ処理材１を生ゴミ９２に接触させている。このとき、生ゴミ９２を攪拌することにより、生ゴミ９２と粒状体１０とが混ざるようにしてもよい。このように生ゴミ処理材１を生ゴミ９２に接触させることにより、悪臭の原因となる、生ゴミ９２中の水分を除去し、生ゴミ９２を処理することができる。これにより、生ゴミ９２から悪臭が発生するのを抑制することができる。
【００２８】
本実施形態の効果を説明する。本実施形態においては、衛生用品からプラスチックを分離して得られたフラッフパルプ及び吸水性ポリマーの少なくとも一方からなる吸水材料を含有する粒状体１０からなり、生ゴミに含まれる水分を吸収する生ゴミ処理材１が形成される。実際、上述の処理方法においては、生ゴミ処理材１によって、生ゴミに含まれる水分が吸収される。このため、本実施形態によれば、電源を必要とせずに、生ゴミ中の水分を除去し、当該生ゴミを処理することができる。したがって、電源がなくても生ゴミを処理することが可能な生ゴミ処理材１及びその製造方法、並びに生ゴミの処理方法が実現されている。
【００２９】
生ゴミ処理材１によれば、様々な場所で簡便に生ゴミを処理することができる。例えば、家庭で出る生ゴミは勿論、飲食店での調理時に出る生ゴミ、喫茶店やカフェ等に設置されたゴミ箱に捨てられた生ゴミ、自販機の脇に設置されたゴミ箱に捨てられた生ゴミ等も簡便に処理することができる。
【００３０】
また、衛生用品に由来するフラッフパルプ及び吸水性ポリマーの少なくとも一方からなる吸水材料が用いられているため、衛生用品の廃材から吸水材料を取得することができる。これにより、材料の調達コストを削減し、ひいては生ゴミ処理材１の製造コストを削減することができる。特に衛生用品が紙おむつである場合、１つの衛生用品から多量のフラッフパルプ及び吸水性ポリマーを取得するのに有利である。さらに、生ゴミ処理材１によれば、専用の容器を必要とせずに、生ゴミを処理することができる。すなわち、ゴミ箱等に捨てられた生ゴミを専用の容器に移し替えることなく、そのまま処理することができる。
【００３１】
生ゴミ処理材１は、複数の粒状体１０からなる。この場合、生ゴミ処理材１が粉状体からなる場合と異なり、生ゴミ処理材１が飛散しにくい。このため、生ゴミ処理材１の取扱いが容易になるという利点がある。また、生ゴミ処理材１が粉状体からなる場合に比して、使用後の生ゴミ処理材１（水分を吸収した生ゴミ処理材１）を容易に取り除けるという利点もある。
【００３２】
各粒状体１０は、吸水材料を含有する被造粒材料が造粒されてなる造粒物１２を有している。かかる造粒物１２においては、吸水材料自体に水分が吸収されるだけでなく、吸水材料どうしの隙間にも水分が吸収される。このため、粒状体１０ひいては生ゴミ処理材１の吸水性を高めることができる。
【００３３】
各粒状体１０は、水分を吸収した複数の粒状体１０どうしを接着させる機能をもつ被覆部１４を有している。このため、生ゴミ処理材１の使用後には、図４に示すように、水分を吸収した複数の粒状体１０からなる固まりが形成される。これにより、使用後の生ゴミ処理材１を一層容易に取り除くことができる。
【００３４】
生ゴミ処理材１が吸水材料を主材料とする場合、材料の調達コストを削減しつつ生ゴミ処理材１の吸水性を高めるのに有利である。また、生ゴミ処理材１が有機物のみを材料とする場合、焼却処分に適した生ゴミ処理材１を得ることができる。このように生ゴミ処理材１が焼却処分に適していれば、使用後の生ゴミ処理材１を可燃ゴミとして捨てることができるため、ユーザにとっての利便性が向上する。
【００３５】
生ゴミ処理材１が消臭材又は脱臭材を含有する場合、生ゴミから悪臭が発生しても、その悪臭を緩和することができる。生ゴミ処理材１が芳香材を含有する場合、生ゴミから悪臭が発生しても、その悪臭をマスキングすることができる。
【００３６】
本発明は、上記実施形態に限定されるものではなく、様々な変形が可能である。上記実施形態においては、粒状体１０が造粒物１２及び被覆部１４からなる複層構造を有する場合を例示した。しかし、被覆部１４を設けることは必須でない。すなわち、粒状体１０は、造粒物１２のみからなる単層構造を有していてもよい。
【００３７】
上記実施形態においては、複数の粒状体１０間で、被覆部１４の厚みが等しい場合を例示した。しかし、複数の粒状体１０は、図５に示すように、被覆部１４の厚みが比較的大きい粒状体１０ａ（第１の粒状体）と、被覆部１４の厚みが比較的小さい粒状体１０ｂ（第２の粒状体）とを含んでいてもよい。粒状体１０ｂの被覆部１４の厚みは、粒状体１０ａの被覆部１４の厚みの８０％以下であることが好ましく、５０％以下であることがより好ましい。粒状体１０ａの造粒物１２と粒状体１０ｂの造粒物１２とは、同一組成の材料からなる。粒状体１０ａの被覆部１４と粒状体１０ｂの被覆部１４とも、同一組成の材料からなる。また、粒状体１０ａの造粒物１２と粒状体１０ｂの造粒物１２とは、略同一の形状及び大きさを有する。
【００３８】
この場合、被覆工程には、第１及び第２の被覆工程が含まれる。第１の被覆工程は、造粒工程において形成される複数の造粒物１２のうちの一部の造粒物１２を対象として、比較的大きい厚みの被覆部１４を形成する工程である。この工程においては、粒状体１０ａが得られる。また、第２の被覆工程は、造粒工程において形成される複数の造粒物１２のうちの残りの造粒物１２を対象として、比較的小さい厚みの被覆部１４を形成する工程である。この工程においては、粒状体１０ｂが得られる。
【００３９】
ところで、被覆部１４は、上述のように、使用後の粒状体１０からなる固まりの形成に寄与する。その反面、被覆部１４は、造粒物１２を覆うように設けられているため、水分が速やかに造粒物１２に達するのを阻害する。この点、粒状体１０ｂの被覆部１４の厚みを小さくすることにより、水分が速やかに粒状体１０ｂの造粒物１２に達することができる。また、粒状体１０ａの被覆部１４の接着作用は、粒状体１０ａの周囲の粒状体１０ｂにも及ぶ。このため、粒状体１０ｂの被覆部１４の厚みを小さくしても、使用後の粒状体１０の固まり形成に関し、充分な固まり強度を確保することができる。このように、被覆部１４の厚みが相異なる複数の粒状体１０ａ，１０ｂを設けることは、生ゴミ処理材１の吸水性の低下を抑制しつつ、使用後の粒状体１０の固まり強度を充分に確保するのに有利である。
【００４０】
上記実施形態においては、生ゴミ処理材１が粒状体（粒状体１０）からなる場合を例示した。しかし、生ゴミ処理材１は、吸水材料を含有する粉状体からなっていてもよい。その場合、生ゴミ処理材１が粒状体からなる場合と異なり、吸水材料等を粒状に成形する必要がない。そのため、生ゴミ処理材１の製造工程を簡略化することができる。
【符号の説明】
【００４１】
１  生ゴミ処理材
１０  粒状体
１０ａ  粒状体（第１の粒状体）
１０ｂ  粒状体（第２の粒状体）
１２  造粒物
１４  被覆部
９０  ゴミ箱
９２  生ゴミ
【図１】
2019126752.tif 000003
【図２】
2019126752.tif 000004
【図３】
2019126752.tif 000005
【図４】
2019126752.tif 000006
【図５】
2019126752.tif 000007
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
生ゴミに含まれる水分を吸収する生ゴミ処理材を製造する方法であって、
プラスチック、フラッフパルプ及び吸水性ポリマーを含む衛生用品から前記プラスチックを分離して得られた前記フラッフパルプ及び前記吸水性ポリマーの少なくとも一方からなる吸水材料を準備する準備工程と、
前記準備工程において準備された前記吸水材料を含有する複数の粒状体からなる前記生ゴミ処理材を形成する形成工程と、を含み、
前記形成工程は、前記吸水材料を含有する被造粒材料を造粒することにより、前記各粒状体を構成する造粒物を形成する造粒工程と、前記造粒物を覆うように、前記水分を吸収した前記複数の粒状体どうしを接着させる機能を有する被覆部を形成する被覆工程とを含み、
前記被覆工程は、
前記造粒工程において形成される複数の前記造粒物のうちの一部の前記造粒物を対象として、比較的大きい厚みの前記被覆部を形成する第１の被覆工程と、
前記複数の造粒物のうちの残りの前記造粒物を対象として、比較的小さい厚みの前記被覆部を形成する第２の被覆工程と、を含むことを特徴とする生ゴミ処理材の製造方法。
【請求項２】
請求項１に記載の生ゴミ処理材の製造方法において、
前記第１の被覆工程において形成される前記被覆部と前記第２の被覆工程において形成される前記被覆部とは、同一組成の材料からなる生ゴミ処理材の製造方法。
【請求項３】
請求項１又は２に記載の生ゴミ処理材の製造方法において、
前記形成工程においては、前記吸水材料を主材料とする前記生ゴミ処理材を形成する生ゴミ処理材の製造方法。
【請求項４】
請求項１乃至３の何れかに記載の生ゴミ処理材の製造方法において、
前記形成工程においては、有機物のみを材料とする前記生ゴミ処理材を形成する生ゴミ処理材の製造方法。
【請求項５】
請求項１乃至４の何れかに記載の生ゴミ処理材の製造方法において、
前記形成工程においては、消臭材又は脱臭材を含有する前記生ゴミ処理材を形成する生ゴミ処理材の製造方法。
【請求項６】
請求項１乃至５の何れかに記載の生ゴミ処理材の製造方法において、
前記形成工程においては、芳香材を含有する前記生ゴミ処理材を形成する生ゴミ処理材の製造方法。
【請求項７】
請求項１乃至６の何れかに記載の生ゴミ処理材の製造方法において、
前記衛生用品は、紙おむつである生ゴミ処理材の製造方法。
【請求項８】
生ゴミを処理する方法であって、
請求項１乃至７の何れかに記載の生ゴミ処理材の製造方法により製造される生ゴミ処理材を前記生ゴミに接触させることにより、当該生ゴミに含まれる水分を前記生ゴミ処理材に吸収させることを特徴とする生ゴミの処理方法。